(57)【要約】【課題】ストッパが破損しているときに、カードの挿入を禁止する等のエラー処理を実行することで、カードが詐取されるのを防止できるカード処理装置を提供する。【解決手段】カード処理装置１は、挿入路の奥に位置する壁６が破壊されていることを検出すると、シャッタ１１を駆動して挿入口を封鎖する。これにより、壁６が破壊されていることを知らずに、挿入口からカード１０を挿入し、凹部１３においてカード１０の一部が露出していない状態になるまで、このカード１０を押し込み取り出せなくなって係員を呼びに行っている隙に、カード１０が詐取されるのを確実に防止できる。【選択図】図１
2004148576.tif 000002
【特許請求の範囲】
【請求項１】
挿入路に挿入されたカードに記録されているカード情報を読み取るカード処理装置において、
上記挿入路には、本体に所定量挿入されたカードの先端部が当たるストッパ部材が設けられており、
上記ストッパ部材が破損していないかどうかを検出する破損検出手段と、
上記破損検出手段により上記ストッパ部材が破損していることが検出されたときにエラー処理を実行するエラー処理実行手段と、を備えたカード処理装置。
【請求項２】
上記破損検出手段は、上記ストッパ部材に沿って這わせた導線が切断していないかどうかを検出する請求項１に記載のカード処理装置。
【請求項３】
上記ストッパ部材には、対向させて配置した発光部と受光部との間に位置する爪部が形成されており、
上記破損検出手段は、上記受光部において上記発光部が発光した光を受光しているかどうかを検出する請求項１に記載のカード処理装置。
【請求項４】
上記挿入路を封鎖した状態と、上記挿入路を開放した状態と、の間で駆動されるシャッタ部材を備え、
上記エラー処理実行手段は、上記破損検出手段により上記ストッパ部材が破損していることが検出されたとき、シャッタ部材を駆動して上記挿入路を封鎖する請求項１〜３のいずれかに記載のカード処理装置。
【請求項５】
挿入路に挿入されたカードに記録されているカード情報を読み取るカード処理装置において、
上記挿入路には、本体に所定量挿入されたカードの先端部が当たるストッパ部材が設けられており、
上記ストッパ部材に直接、または間接的に係止されており、このストッパ部材が破損し、係止されていない状態になったときに、上記挿入路を遮蔽する遮蔽部材を備えたカード処理装置。
【請求項６】
上記ストッパ部材が破損していないかどうかを検出する破損検出手段と、
上記破損検出手段により上記ストッパ部材が破損していることが検出されたときにエラー処理を実行するエラー処理実行手段と、を備えた請求項５に記載のカード処理装置。
【請求項７】
挿入路に挿入されたカードに記録されているカード情報を読み取るカード処理装置において、
上記挿入路には、本体に所定量挿入されたカードの先端部が当たるストッパ部材が設けられており、
上記ストッパ部材が破損していないかどうかを検出する破損検出手段を備えたカード処理装置。
【発明の詳細な説明】
【０００１】
【発明の属する技術分野】
この発明は、挿入路に挿入されたカード、例えば磁気カード、ＩＣカードに記録されている情報（カード情報）を読み取るカード処理装置に関し、特に本体へのカードの挿入、本体からのカードの引き抜き（取り出し）を利用者が手動で行うカード処理装置に関する。
【０００２】
【従来の技術】
従来、磁気カードやＩＣカードに記録されているカード情報を読み取るカード処理装置があった。カード処理装置は、銀行等の金融機関に設置されている現金自動預け払い機（ＡＴＭ）等、種々の装置で利用されている。
【０００３】
カード処理装置には、挿入口からセット位置までのカードの挿入、セット位置にあるカードの引き抜き（本体からのカードの取り出し）を、利用者が手動で行う手動式のタイプがある。手動式のカード処理装置としては、例えば特許文献１に示されたものがある。
【０００４】
手動式の磁気カード処理装置では、利用者が挿入口からセット位置までカードを押し込んでいるとき、または利用者がセット位置からカードを引き抜いているときに、カードの磁気ストライプに磁気ヘッドを当接させて、このカードに記録されているカード情報（磁気データ）を読み取っている。また、手動式のＩＣカード処理装置は、セット位置まで挿入されたＩＣカードのＩＣチップにＩＣ接点を接続してカード情報（電子データ）を読み取っている。
【０００５】
手動式のカード処理装置は、挿入口の形状をカードの挿入方向に切り欠いた凹部形状とし、セット位置にあるカードの一部（後端部）が外部に露出するようにしている。これにより、カードのセット位置への挿入が完了するまで、およびセット位置からカードを引き抜くときに、利用者がカード（外部に露出している部分）を指で掴むことができる。また、挿入路には、セット位置に達したカードがさらに奥に押し込まれないように、セット位置に達したカードの先端部が当接する壁やピンが形成されている。この壁やピンがカードの挿入量を制限するストッパとして機能する。
【０００６】
【特許文献１】
特開２００１−１６７５１３号公報
【０００７】
【発明が解決しようとする課題】
ところで、手動式のカード処理装置の利用者から、以下に示す手口でカードを詐取する不正行為が増加しており、この不正行為による被害が抑えられるカード処理装置が要望されている。
【０００８】
（１）カードの挿入口から、カードと略同じ厚さ幅であり、挿入方向の長さがカードよりも長い板（鉄板等）を挿入する。挿入した鉄板の先端部がストッパに当接すると、外側に露出している鉄板の後端部をハンマー等で叩いて、この鉄板をさらに押し込んでストッパを破損させ（ストッパを破壊し）、その後、カード処理装置から鉄板を引き抜き、物陰に隠れて、利用者が来るのを待つ。
（２）利用者の挿入したカードがセット位置に達しても、すでにストッパが破壊されているので、カードの先端部がストッパに当接しない。このため、利用者は、カードの後端部が外部に露出していない状態になるまで（セット位置よりも奥まで）カードを押し込んでしまい、このカードが取り出せなくなって、係員を呼びに行く。
（３）利用者がカード処理装置から離れると、その隙にピンセット等で利用者が押し込んだカードをカード処理装置から抜き取り、持ち去る。
【０００９】
この発明の目的は、ストッパが破損しているときに、その旨を上位装置に連絡したり、カードの挿入を禁止する等のエラー処理を実行することで、カードが詐取されるのを防止できるカード処理装置を提供することにある。
【００１０】
【課題を解決するための手段】
この発明のカード処理装置は、上記目的を達成するために以下の構成を備えている。
【００１１】
（１）挿入路に挿入されたカードに記録されているカード情報を読み取るカード処理装置において、
上記挿入路には、本体に所定量挿入されたカードの先端部が当たるストッパ部材が設けられており、
上記ストッパ部材が破損していないかどうかを検出する破損検出手段と、
上記破損検出手段により上記ストッパ部材が破損していることが検出されたときにエラー処理を実行するエラー処理実行手段と、を備えている。
【００１２】
この構成では、カードを本体に形成されている挿入路に所定量挿入すると、該カードの先端部がストッパ部材に当接する。したがって、ストッパ部材が破損していなければ、本体に所定量を超えてカードが挿入されることはない。
【００１３】
なお、ストッパ部材に先端部が当接しているカードの後端部が外部に露出するように挿入路を形成することで、利用者におけるカードの挿入、取り出し（引き抜き）が問題なく行える。また、ストッパ部材は、例えば所定量挿入されたカードの先端部が当接する形状であればよく、例えばカードの幅方向に形成した壁であってもよいし、複数のピンをカードの幅方向に並べた構成であってもよい。
【００１４】
上記カードの種類は、例えば磁気カード、ＩＣカード、これらの複合カードである。磁気カードの場合、本体に挿入されているとき、または本体から取り出されているときに、この磁気カードの磁気ストライプに磁気ヘッドを当接させて、記録されているカード情報を読み取ればよい。また、ＩＣカードの場合、本体に所定量挿入されているＩＣカードのＩＣチップに、本体側の端子部を電気的に接続してカード情報を読み取ればよい。
【００１５】
また、破損検出手段によりストッパが破損していないかどうかが検出され、ストッパが破損していることが検出されるとエラー処理実行手段によりエラー処理が実行される。エラー処理実行手段により実行されるエラー処理としては、本体にカードが挿入できないようにシャッタ等で挿入路を封鎖する処理であってもよいし、利用者に対して本体にカードを挿入しないように、ストッパ部材が破損していることを表示したり、警告音を鳴らす等の処理であってもよい。
【００１６】
これにより、ストッパ部材が破損していることを知らずに、利用者が本体にカードを挿入するのを未然に防ぎ、本体にカードを所定量以上押し込んで取り出せなくなるのを防止できるので、上述した犯罪による被害を抑えることができる。
【００１７】
（２）上記破損検出手段は、上記ストッパ部材に沿って這わせた導線が切断していないかどうかを検出する。
【００１８】
この構成では、ストッパ部材に沿って導線を這わせており、このストッパ部材の破損にともなって、この導線が切断される。したがって、導線が切断しているかどうかにより、ストッパ部材が破損しているかどうかを検出できる。
【００１９】
（３）上記ストッパ部材には、対向させて配置した発光部と受光部との間に位置する爪部が形成されており、
上記破損検出手段は、上記受光部において上記発光部が発光した光を受光しているかどうかを検出する。
【００２０】
この構成では、ストッパ部材の破損により、対向配置されている発光部と受光部との間から爪部が移動し、受光部において発光部から発光された光が受光される。したがって、受光部において発光部から発光された光が受光されているかどうかにより、ストッパ部材が破損しているかどうかを検出できる。
【００２１】
（４）挿入路に挿入されたカードに記録されているカード情報を読み取るカード処理装置において、
上記挿入路には、本体に所定量挿入されたカードの先端部が当たるストッパ部材が設けられており、
上記ストッパ部材に直接、または間接的に係止されており、このストッパ部材が破損し、係止されていない状態になったときに、上記挿入路を遮蔽する遮蔽部材を備えている。
【００２２】
この構成では、ストッパ部材に直接、または間接的に係止した遮蔽部材が、ストッパ部材の破損により係止されていない状態になると、挿入路を遮蔽するように構成したので、ストッパ部材が破損しているときに、利用者がカードを本体に挿入するのを防止できる。したがって、上記（１）と同様の効果を奏する。
【００２３】
また、この構成に、上記（１）と同様の、
上記ストッパ部材が破損していないかどうかを検出する破損検出手段と、
上記破損検出手段により上記ストッパ部材が破損していることが検出されたときにエラー処理を実行するエラー処理実行手段と、を加えてもよい。
【００２４】
（５）挿入路に挿入されたカードに記録されているカード情報を読み取るカード処理装置において、
上記挿入路には、本体に所定量挿入されたカードの先端部が当たるストッパ部材が設けられており、
上記ストッパ部材が破損していないかどうかを検出する破損検出手段を備えている。
【００２５】
この構成では、カード処理装置に接続されている上位装置にストッパ部材が破損したことを連絡することができる。これにより、この上位装置において、利用者に対して使用中止を連絡したり、カード処理を中止したりすることができるようになる。
【００２６】
【発明の実施の形態】
以下、この発明の実施形態であるカード処理装置について説明する。
【００２７】
この実施形態のカード処理装置は、現金支払機（ＣＤ）、現金自動預け払い機（ＡＴＭ）等の装置（以下、上位装置と言う。）に組み込まれて使用される。図１は、この実施形態のカード処理装置を示す図であり、図１（Ａ）は上面図。図１（Ｂ）は側面図、図１（Ｃ）は図１（Ａ）に示すＡ−Ａ線部の断面図である。カード処理装置１は、樹脂成型による上板２と下板３とを重ね合わせて構成されている。また、図に示す４は制御基板である。ここでは、制御基板４は上板２の上方に配置した例を示しているが、下板３の下方に配置してもよい。上板２と下板３との間には、カード１０が挿入される挿入路５が形成されている。
【００２８】
図１において、左側にカード１０を挿入する挿入口が形成されている。挿入口側には、カード１０の挿入を制限するシャッタ１１、および磁気ヘッド１２が設けられている。このシャッタ１１は、図示していないソレノイドにより駆動される。また、挿入口側には凹部１３が形成されている。１４は挿入路５に挿入されたカード１０に設けられているＩＣチップに電気的に接続される接続端子である。また、挿入路５における挿入口と反対側の端部は壁６であり、この壁６が本願発明で言うストッパ部材に相当する。
【００２９】
挿入口から挿入路５に挿入されたカード１０は、その先端部が上記壁６に当接する。このときカード１０の後端部（挿入口側の端部）がシャッタ１１よりも内側に位置し、且つ凹部１３においてカード１０の一部が露出するように、挿入路５の挿入方向の長さ（挿入口から壁６までの長さ）を決めている。凹部１３において露出させるカード１０の面積は、無理なく指で掴める大きさであり、利用者に対して無理なくカード１０の挿入、引き抜き（取り出し）が行えるように構成されている。接続端子１４は、先端部が上記壁６に当接しているカード１０のＩＣチップに電気的に接続される位置に配置されている。
【００３０】
なお、挿入路５の高さは、カード１０の高さよりも少し大きい。また、制御基板４は、このカード処理装置１が内臓される上位装置の筐体内に位置し、外部から触ることはできない。但し、上位装置の筐体は、凹部１３が位置する部分を本体内側に窪ませており、利用者が無理なくカード１０の挿入、引き抜きを行えるように構成されている。また、挿入路５にはカード１０の挿入、引き抜きがスムーズに行われるようにローラ（不図示）が配置されている。
【００３１】
導線４１は、壁６に沿って張り渡され、上板２の上面、および下板３の下面の２箇所に固定されている。導線４１には、常時電流が流れている。壁６が破損すると、導線４１が切断され、電流が流れなくなったことを検出する。これにより、壁６の破損を検出する。
【００３２】
図２は、この実施形態のカード処理装置の機能構成を示すブロック図である。この実施形態のカード処理装置１は、本体の動作を制御する制御部２０と、本体に挿入されたカード１０の磁器ストライプに記録されている磁気データ（カード情報）を読み取る第１の読取部２１と、本体に挿入されたカードのＩＣチップに記録されている電子データ（カード情報）を読み取る第２の読取部２２と、カードの挿入口付近に配置されたシャッタ１１を開閉するシャッタ開閉部２３と、第１の読取部２１、第２の読取部２２が読み取ったカード情報を上位装置へ出力する出力部２４と、挿入口に対向する端部の壁６が破壊されたかどうかを検出する破壊検出部２５を備えている。第１の読取部２１には磁気ヘッド１２が接続されており、第２の読取部２２には接続端子１４が接続されている。シャッタ開閉部２３は、図示していないソレノイドでシャッタ１１を駆動する。
【００３３】
以下、この発明の実施形態であるカード処理装置１の動作について説明する。ここでは、カード１０は磁気ストライプ、およびＩＣチップが設けられている複合カードであるとして説明するが、磁気ストライプ、またはＩＣチップのどちらか一方が設けられているカードであってもよい。
【００３４】
図３は、この実施形態のカード処理装置の動作を示すフローチャートである。カード処理装置１は、挿入口からカード１０が挿入されたか、または挿入口に対向する端部の壁６（挿入路５奥の壁６）が破壊されたかを繰り返し検出している（ｓ１、ｓ２）。カード処理装置１は、カード１０が挿入されると、この挿入されたカード１０からカード情報を読み取る通常処理を実行し（ｓ３）、壁６が破壊されたことを検出するとエラー処理を実行する（ｓ４）。
【００３５】
先ず、挿入路５奥の壁６が破損していない状態（破壊されていない状態）での動作（ｓ３にかかる通常処理）について、図４を参照しながら説明する。利用者は、挿入口から挿入路５にカード１０の先端部を挿入し、このカード１０を本体に押し込む（図４（Ａ）参照）。このとき、挿入口はシャッタ１１で封鎖されていない。利用者により、挿入路５に押し込まれているカード１０の磁気ストライプは磁気ヘッド１２に当接している。カード処理装置１は、このカード１０の磁気ストライプに記録されている磁気データ（カード情報）を読み取る。
【００３６】
カード１０の先端部が挿入口に対向する側の壁６に当接すると（図４（Ｂ）参照）、利用者はこれ以上カード１０を本体に押し込むことができないと判断し、カード１０を押し込むのを止める。このとき、カード１０の後端部はシャッタ１１よりも、本体内側に位置している。また、磁気ヘッド１２は挿入口付近に設けているので、カード１０の磁気ストライプに記録されている磁気データを全て読み取ることができる。さらに、凹部１３においてカード１０の一部が露出しており、利用者はカード１０をその先端部が壁６に当接するまで無理なく押し込むことができる。
【００３７】
カード処理装置１は、カード１０の先端部が壁６に当接している状態で、シャッタ１１を駆動して挿入口を封鎖するとともに、接続端子１４をカード１０のＩＣチップに電気的に接続し、このカード１０のＩＣチップに対して、記録されている電子データ（カード情報）の読み取りや、電子データの記録を行う（図４（Ｃ）参照）。
【００３８】
なお、シャッタ１１の駆動、および接続端子の電気的接続は、カード１０の先端部が壁６に当接していることを検知するセンサを設け、このセンサの検知に応じて行ってもよいし、またカード１０の先端部１０が壁６に当接したときにメカ的に動く構成としてもよい。また、挿入口をシャッタ１１で封鎖するのは、新たなカード１０の挿入防止や、ＩＣチップに対するデータの読取や、記録時に利用者が誤ってカード１０を本体から取り出す（引き抜く）のを防止するためである。
【００３９】
カード処理装置１は、ＩＣチップに対するデータ処理を完了すると、シャッタ１１を駆動し、挿入口を開放する（図４（Ｂ）の状態に戻す）。利用者は、カード処理装置１本体からカード１０を取り出す。このとき、利用者は凹部１３において露出している部分を指で掴んでカード１０を引き抜く。
【００４０】
なお、利用者がカード処理装置１本体からカード１０を引き抜くときに、このカード１０の磁気ストライプに記録されている磁気データを読み取ることもできる。
【００４１】
カード処理装置１は、カード１０から読み取ったカード情報を出力部２４から上位装置に通知する。上位装置では、カード処理装置１から通知されたカード情報や、図示していない上位装置の操作部における利用者の入力操作等に基いて、入出金処理等を行う。
【００４２】
次に、挿入口に対向する側の壁６が破壊されたかどうかを検出する構成について説明する。この実施形態のカード処理装置１は、図５に示すように、両端が制御基板４に接続された１本の導線４１が挿入路５の外側において、壁６に沿って配置されている。図５（Ａ）はカード処理装置１の後端部（壁６側）の側面の断面図であり、図５（Ｂ）はカード処理装置の背面図である。この導線４１は上板２の上面、および下板３の下面の２箇所に固定されている。破壊検出部２５は、図６に示すように、導線４１の一端に接続されたパルス信号を発生するパルス発生回路４２と、この導線４１の他端に接続されたパルス信号を検出するパルス検出回路４３とを備えている。パルス発生回路４１、およびパルス検出回路４２は、制御基板４に設けられている。
【００４３】
破壊検出部２５は、パルス発生回路４２において適当なパルス信号を発生させ、パルス検出回路４３において上記適当なパルス信号が検出されていれば、壁６が破壊されていない正常状態であると判断し、反対にパルス検出回路４３において上記適当なパルス信号が検出されていなければ壁６が破壊された異常状態であると判断する。
【００４４】
上記のように、利用者のカード１０を詐取しようとする者は、図７に示すように挿入口から鉄板５０を挿入し、この鉄板５０の先端部が壁６に当接した状態（図７（Ａ）参照）から、さらに鉄板５０を本体に押し込んでストッパとして機能している壁６を破壊する（図７（Ｂ）参照）。この実施形態のカード処理装置１は、鉄板５０を本体に無理やり押し込んで壁６を破壊すると、このときの衝撃により導線４１が切断される。具体的には、導線４１は、上板２、および下板３に取り付けられているので、図７（Ｂ）に示すように壁６が破壊されたときに、この破壊された壁６や鉄板５０に押されて切断される。導線４１が切断されると、当然パルス検出回路４３においてパルス発生回路で発生されたパルス信号が検出されなくなる。したがって、パルス検出回路４３においてパルス発生回路で発生されたパルス信号が検出されているかどうかを検出することにより、挿入口に対向する挿入路５奥の壁６が破壊されたかどうかを検出することができる。
【００４５】
カード処理装置１は、壁６が破壊されたことを検出すると、エラー処理を行う。ここで行うエラー処理としては、例えば上位装置に対して処理の中止を要求する処理、利用者がカード１０を挿入できなくするためにシャッタ１１を駆動して挿入口を封鎖する処理、カード処理装置１または上位装置に設けられた表示部において壁６が破壊されていることを表示したり、警告音を鳴らして利用者にカード１０の挿入を止めるように促すための処理、センタに通知して壁６が破壊されたカード処理装置１の交換等を促す処理であり、これらの処理を複数行ってもよい。
【００４６】
また、壁６が破壊されたことを検出すると、すぐにセンタへその旨を通知するエラー処理を行うことにより、壁６を破壊した者をこの者がカード処理装置１から鉄板５０を引き抜いているときに捕まえることもでき、犯罪の抑制効果も得られる。
【００４７】
また、エラー処理として、シャッタ１１を駆動して挿入口を封鎖すれば、ストッパとして機能する壁６が破壊されたカード処理装置１に対して、利用者が挿入口からカード１０を挿入するのを確実に防止できる。これにより、壁６が破壊されていることを知らずに、挿入口からカード１０を挿入し、凹部１３においてカード１０の一部が露出していない状態になるまで、このカード１０を押し込み取り出せなくなって係員を呼びに行くこともなく、壁６を破壊したものにカード１０が詐取されるのを確実に防止できる。
【００４８】
なお、挿入路５に鉄板５０が挿入されている状態では、シャッタ１１を駆動しても挿入口を封鎖することはできないが（シャッタの端部が鉄板５０の上面で停止する。）、この鉄板５０が挿入路５から抜かれたときに、シャッタ１１により挿入口が封鎖されるので、なにも問題はない。
【００４９】
また、破壊検出部２５は、次のように構成してもよい。
【００５０】
図８は、破壊検出部の別の実施形態を示す図である。図８（Ａ）はカード処理装置１の後端部（壁６側）の側面の断面図であり、図８（Ｂ）はカード処理装置の背面図である。この破壊検出部２５、ストッパとして機能する壁６の外側に爪部５１を設け、この爪部５１を挟んで発光部５２、および受光部５３を対向させている。破壊検出部２５には、図９に示すような発光部５２を発光させるための発光回路５５、および受光部５３において発光部５２からの光が受光されているかどうかを検出する受光検出回路５６が設けられている。発光部５２、および受光部５３は制御基板４に取り付けられている。また、発光回路５５、および受光検出回路５６は、制御基板４に設けられている。
【００５１】
挿入口に対向する挿入路５奥の壁６が破壊されていないときには、発光部５２と受光部５３との間に爪部５１が位置しており、受光部５３において発光部５２からの光が受光されない。
【００５２】
図１０に示すように挿入口から鉄板５０を挿入し、この鉄板５０の先端部が壁６に当接した状態（図１０（Ａ）参照）から、さらに鉄板５０を本体に押し込んでストッパとして機能している壁６を破壊する（図１０（Ｂ）参照）。この実施形態のカード処理装置１は、鉄板５０を本体に無理やり押し込んで壁６を破壊すると、破壊された壁６とともに爪部５１が移動する。これにより、受光部５３において発光部５２からの光を遮るものがなくなり、受光部５３において発光部５２からの光が受光される。したがって、受光部５３において発光部５２からの光が受光されているかどうかを受光検出回路５６で検出することにより、挿入口に対向する挿入路５奥の壁６が破壊されたかどうかを検出することができる。
【００５３】
なお、発光部５２、および受光部５３は、制御基板４に取り付けられているので、破壊された壁６とともに移動することはなく、また受光部５３と受光検出回路５６との電気的接続が切断されることもない。
【００５４】
また、挿入口に対向する挿入路５奥の壁６が破壊されたことを検出した場合には、上述したエラー処理を実行すればよい。
【００５５】
また、上記実施形態では、破壊検出部２５において、挿入口に対向する挿入路５奥の壁６が破壊されたことを検出すると、エラー処理を行って、利用者がカード１０をカード処理装置１に挿入するのを防止する構成としたが、壁６に直接または間接的に係止した遮蔽部材を設け、壁６が破壊され、この係止状態が解除されると、遮蔽部材が挿入路を塞ぐ構成としてもよい。この場合には、破壊検出部２５を不要にでき、コストダウンが図れる。
【００５６】
以下、上記遮蔽部材を設けたカード処理装置の実施形態について説明する。
【００５７】
図１１は、この実施形態のカード処理装置の側面断面図である。
【００５８】
なお、この図において図１と同じ構成については、同じ符号を付し、説明を省略する。
【００５９】
図１１（Ａ）に示すように、壁６にはフック６１が形成されており、このフック６１に揺動自在に取り付けられた遮蔽部材６２の一方の端部（後端部）が係止されている。遮蔽部材６２の支点は比較的後端部に近い位置に設けられており、自重により先端部が下がる向きに揺動する力が作用している。また、遮蔽部材６２の先端部は下方に折り曲げられている。以下、この折り曲げられている部分を折り曲げ部６２ａと言う。
【００６０】
上板２には、遮蔽部材６２の折り曲げ部６２ａが貫通する開口部２ａが形成されている。また、下板３には折り曲げ部６２ａの先端が入る溝３ａが形成されている。
【００６１】
挿入口に対向する挿入路５奥の壁６が破壊されていない状態においては、フック６１により遮蔽部材６２の後端部が係止されており、遮蔽部材６２の折り曲げ部６２ａの先端は、挿入路に突出していない。したがって、この状態では、挿入口からカード１０をスムーズに挿入することができる。
【００６２】
一方、挿入口に対向する挿入路５奥の壁６が、図１１（Ｂ）に示すように破壊されると、この破壊された壁６とともにフック６１が移動するため、遮蔽部材６２の後端部が係止されていない状態になり、折り曲げ部６２ａが下がる方向に揺動する。折り曲げ部６２ａの先端は、下板３に形成されている溝３ａに入る。これにより、挿入路５が遮蔽部材６２の折り曲げ部６２ａにより遮蔽され、挿入口からカード１０を挿入してもカード１０の先端が折り曲げ部６２ａに当接する位置までしか挿入することができない。したがって、挿入口に対向する挿入路５奥の壁６が破壊されたカード処理装置１に、利用者がカード１０を取り出せなくなるまで押し込むのを防止でき、カード１０が詐取されるのを防止できる。
【００６３】
なお、遮蔽部材６２の後端部が係止されていない状態になったときに、遮蔽部材６２を確実に上記のように先端部が下がる向きに揺動させるために、バネやゴム等の弾性体で付勢してもよい。
【００６４】
さらに、別の実施形態について説明する。この実施形態のカード処理装置１は、搬送路を図１２に示すように、上板７１、下板７２、および連結部７３の３つの部材で構成している。連結部７３は図１２に示すように、コの字型である。図１２（Ｂ）に示すように、上板７１、下板７２、および連結部７３は、嵌め込みにより組み立てられる。このとき、上板７１と下板７２とは挿入路５の両側の当接部において接着される。連結部７３との嵌め込み部分については接着されない。また、下板７２には溝７２ａが形成されている。さらに、上板７１は、図示するように下板７２よりも短い。
【００６５】
制御基板４は、図１２（Ｃ）に示すように上板７１に固定される。また、制御基板４には開口部が形成されており、この開口部に遮蔽部材７５が嵌挿されている。制御基板４の開口部は、下板７２に形成されている溝７２ａの真上に位置している。遮蔽部材７５は連結部材７３の上面に載置された状態にある。
【００６６】
ここで、図１２（Ｃ）から明らかなように、挿入口に対向する挿入路奥の壁６は、連結部材により構成されていることから、遮蔽部材７５は間接的に壁６に係止されている状態であると言える。
【００６７】
上述したように、挿入口から鉄板を挿入し、挿入口に対向する挿入路奥の壁６が破壊されると、図１３に示すように、連結部材７３が上板７１、および下板７２から外れ、連結部材７３に載置されていた遮蔽部材７５が落下し、遮蔽部材７５の下端部が下板７２の溝７２ａに入る。また、このとき遮蔽部材７５の上端は、制御基板４よりも上方に位置する。したがって、遮蔽部材７５は制御基板７５の開口部と、下板７２の溝７２ａとにより、倒れることなく、その姿勢が保持される。
【００６８】
なお、上板７１は、挿入路５の両側において下板７２に接着されているので、図１３に示すように、結部材７３が上板７１、および下板７２から外れても落下することはない。また、制御基板４は上板７１に取り付けられているので落下することはない。
【００６９】
図１３に示す状態では、挿入路５が遮蔽部材７５により遮蔽されているので、挿入口からカード１０を挿入してもカード１０の先端が遮蔽部材７５に当接する位置までしか挿入することができない。したがって、挿入口に対向する挿入路５奥の壁６が破壊されたカード処理装置１に、利用者がカード１０を取り出せなくなるまで押し込むのを防止でき、カード１０が詐取されるのを防止できる。
【００７０】
なお、上記実施形態では、挿入口に対向する挿入路５奥の壁６がストッパとして機能する例を示したが、ストッパとしては挿入口から挿入されたカード１０の先端部が当接し、これ以上カード１０が本体に押し込まれるのを防止する構成であれば他の構成、例えば複数のピンを挿入路５の幅方向に並べた構成、であってもよい。
【００７１】
また、図１１〜図１３に示した例においては、破壊検出部２５が不要であるとしたが、破壊検出部２５を設け、破壊されたことを検出したときに、すぐにセンタ等に通知させるようにしてもよい。
【００７２】
【発明の効果】
以上のように、この発明によれば、本体に対するカードの挿入量を制限するストッパ部材が破損している状態であるときに、利用者がカードを挿入するのを防止することができ、利用者のカードが詐取されるのを防止することができる。
【図面の簡単な説明】
【図１】この発明の実施形態であるカード処理装置を示す図である。
【図２】この発明の実施形態であるカード処理装置の機能構成を示すブロック図である。
【図３】この発明の実施形態であるカード処理装置の動作を示すフローチャートである。
【図４】この発明の実施形態であるカード処理装置を示す図である。
【図５】この発明の実施形態であるカード処理装置の破壊検出部を示す図である。
【図６】この発明の実施形態であるカード処理装置の破壊検出部を示す図である。
【図７】別の実施形態であるカード処理装置を示す図である。
【図８】別の実施形態であるカード処理装置の破壊検出部を示す図である。
【図９】別の実施形態であるカード処理装置の破壊検出部を示す図である。
【図１０】別の実施形態であるカード処理装置を示す図である。
【図１１】別の実施形態であるカード処理装置を示す図である。
【図１２】別の実施形態であるカード処理装置を示す図である。
【図１３】別の実施形態であるカード処理装置を示す図である。
【符号の説明】
１−カード処理装置
２−上板
３−下板
４−制御基板
６−壁
１１−シャッタ
２０−制御部
２１−第１の読取部
２２−第２の読取部
２３−シャッタ開閉部
２４−出力部
２５−破壊検出部
４１−導線
４２−パルス発生回路
４３−パルス検出回路
５１−爪部
５２−発光部
５３−受光部
５５−発光回路
５６−受光検出回路
６２−遮蔽部材
７５−遮蔽部材
【図１】
2004148576.tif 000003
【図２】
2004148576.tif 000004
【図３】
2004148576.tif 000005
【図４】
2004148576.tif 000006
【図５】
2004148576.tif 000007
【図６】
2004148576.tif 000008
【図７】
2004148576.tif 000009
【図８】
2004148576.tif 000010
【図９】
2004148576.tif 000011
【図１０】
2004148576.tif 000012
【図１１】
2004148576.tif 000013
【図１２】
2004148576.tif 000014
【図１３】
2004148576.tif 000015